(57)【要約】【課題】  保持部材に保持されている偏向手段から光学ハウジングへ移動する熱量を低減する。【解決手段】  光走査装置６は、光源６２と、光源から射出された光ビームを偏向する偏向手段６１と、光源、および偏向手段が設置される光学ハウジング９０と、光学ハウジングと偏向手段との間に配置されて偏向手段を保持し、光学ハウジングに接触する第一接触部、および偏向手段に接触する第一接触部よりも接触面積が大きい第二接触部を有する保持部材６７と、を備える。【選択図】  図３
2013218064.tif 000002
【特許請求の範囲】
【請求項１】
光源と、
前記光源から射出された光ビームを偏向する偏向手段と、
前記光源、および前記偏向手段が設置される光学ハウジングと、
前記光学ハウジングと前記偏向手段との間に配置されて前記偏向手段を保持し、前記光学ハウジングに接触する第一接触部、および前記偏向手段に接触する前記第一接触部よりも接触面積が大きい第二接触部を有する保持部材と、
を備えることを特徴とする光走査装置。
【請求項２】
前記偏向手段は、偏向部材と、前記偏向部材を回転させる駆動装置と、前記偏向部材の回転軸を回転可能に保持する軸受部とを有し、
前記光学ハウジングには、前記保持部材が挿入される孔部が設けられており、
前記保持部材の前記第一接触部は、前記光学ハウジングの前記孔部に接触しており、
前記保持部材の前記第二接触部は、前記偏向手段の前記軸受部に接触している請求項１に記載の光走査装置。
【請求項３】
前記保持部材が前記光学ハウジングの前記孔部へ挿入される挿入方向に垂直な周方向において、前記第一接触部の周方向長さは、第二接触部の周方向長さよりも短い請求項２に記載の光走査装置。
【請求項４】
前記保持部材が前記光学ハウジングの前記孔部へ挿入される挿入方向において、前記第一接触部の長さは、第二接触部の長さよりも短い請求項２に記載の光走査装置。
【請求項５】
前記軸受部は、前記保持部材によって、前記回転軸に垂直な方向において、前記光学ハウジングに対して位置決めされている請求項２ないし請求項４のいずれか一項に記載の光走査装置。
【請求項６】
前記保持部材の熱伝導率は、前記軸受部の熱伝導率と等しいかそれよりも高く、
前記光学ハウジングの熱伝導率は、前記保持部材の前記熱伝導率よりも低い請求項２ないし請求項５のいずれか一項に記載の光走査装置。
【請求項７】
前記光学ハウジングの前記孔部には、複数の切欠部が設けられている請求項２ないし請求項６のいずれか一項に記載の光走査装置。
【請求項８】
前記第一接触部は、円筒または円筒の一部分で形成されており、
前記第二接触部は、前記第一接触部と同心の円筒または円筒の一部分で形成されている請求項１ないし請求項７のいずれか一項に記載の光走査装置。
【請求項９】
前記偏向手段は、前記保持部材の前記第一接触部の外側で、固定部材により前記光学ハウジングに固定されている請求項１乃至請求項８のいずれか１項に記載の光走査装置。
【請求項１０】
前記保持部材は、前記光学ハウジングに当接する複数の当接部を有するフランジ部を有し、
前記フランジ部には、複数の孔部が設けられている請求項１乃至請求項９のいずれか１項に記載の光走査装置。
【発明の詳細な説明】
【技術分野】
【０００１】
本発明は、光走査装置に関する。
【背景技術】
【０００２】
従来、電子写真画像形成装置（以下、画像形成装置という。）は、電子写真感光体（以下、感光体という。）の表面（被走査面）の上に光ビームを結像して静電潜像を形成するための光走査装置を有する。
画像形成装置としては、例えば、レーザビームプリンタ、デジタル複写機、マルチファンクションプリンタ（ＭＦＰ）、及びファクシミリ装置がある。
【０００３】
光走査装置は、感光体に光ビームを露光して感光体の表面の上に静電潜像を形成する。現像器は、静電潜像を現像剤（以下、トナーという。）で現像して現像剤像（以下、トナー像という。）を形成する。トナー像は、記録媒体上に転写された後、定着装置により加熱および加圧されて記録媒体上に定着される。このようにして、記録媒体上に画像が形成される。
【０００４】
光走査装置は、光源と、入射光学系と、偏向手段と、射出光学系とを保持する光学ハウジングを有する。光源からの光ビームは、入射光学系を介して偏向手段へ入射する。偏向手段は、高速回転する回転多面鏡によって光ビームを主走査方向に偏向する。偏向された光ビームは、射出光学系により感光体の表面に結像され、感光体の表面の上を主走査方向に走査する。感光体の表面は、主走査方向に直交する副走査方向に移動して、感光体の表面の上に静電潜像が形成される。
【０００５】
光走査装置の回転多面鏡は、数万ｒｐｍで回転しているので、回転多面鏡の継続した回転により、偏向手段の軸受部の温度が上昇する。軸受部の温度の上昇に伴い、偏向手段の近傍に配置されている入射光学系または射出光学系の、例えば、樹脂製レンズの温度も上昇する。樹脂製レンズの温度の上昇により、樹脂製レンズの屈折率が変化して主走査方向の倍率変動を生じる。これにより、画像の劣化が生じる。
そこで、光学ハウジングと異なる熱伝導率を有する保持部材を介して、偏向手段を光学ハウジングに取付けることにより、樹脂製レンズの温度上昇を低減している（特許文献１）。
【先行技術文献】
【特許文献】
【０００６】
【特許文献１】特開２００１−１５４１３４号公報
【発明の概要】
【発明が解決しようとする課題】
【０００７】
偏向手段の熱は、偏向手段と保持部材との間の接触部を通して、保持部材へ伝達される。また、保持部材に蓄えられた熱は、保持部材と光学ハウジングとの間の接触部を通して、光学ハウジングへ伝達される。保持部材と光学ハウジングとの間の接触部の接触面積が大きければ、保持部材の熱は、光学ハウジングへより伝達されやすくなる。
そこで、本発明は、保持部材に保持されている偏向手段から光学ハウジングへ移動する熱量を低減した光走査装置を提供する。
【課題を解決するための手段】
【０００８】
本発明の光走査装置は、光源と、前記光源から射出された光ビームを偏向する偏向手段と、前記光源、および前記偏向手段が設置される光学ハウジングと、前記光学ハウジングと前記偏向手段との間に配置されて前記偏向手段を保持し、前記光学ハウジングに接触する第一接触部、および前記偏向手段に接触する前記第一接触部よりも接触面積が大きい第二接触部を有する保持部材と、を備える。
【発明の効果】
【０００９】
本発明によれば、保持部材と光学ハウジングとの間の接触部の接触面積を低減したので、保持部材に保持されている偏向手段から光学ハウジングへ移動する熱量を低減することができる。
【図面の簡単な説明】
【００１０】
【図１】光走査装置を有する画像形成装置の断面図。
【図２】第１の実施形態による光走査装置を示す図。
【図３】第１の実施形態による保持部材を介して光学ハウジングに装着される偏向手段を示す斜視図。
【図４】保持部材により光学ハウジングに装着された偏向手段を示す図。
【図５】第２の実施形態による保持部材を介して光学ハウジングに装着される偏向手段を示す斜視図。
【図６】第３の実施形態による保持部材を介して光学ハウジングに装着される偏向手段を示す斜視図。
【図７】保持部材により偏向手段が装着された光学ハウジングの部分底面図。
【図８】第４の実施形態による保持部材を介して光学ハウジングに装着される偏向手段を示す斜視図。
【図９】第４の実施形態による保持部材を介して光学ハウジングに装着された偏向手段を示す側断面図。
【発明を実施するための形態】
【００１１】
（第１の実施形態）
図１は、光走査装置６を有する画像形成装置１の断面図である。本実施形態において、デジタル複写機を例に挙げて、画像形成装置１を説明する。
【００１２】
原稿台ガラス２０の上に載置された原稿Ｐ１は、複写開始指令手段（不図示）からの指令信号に応じて、読み取り光学系２によって読み取られる。原稿Ｐ１の画像は、読み取り光学系２によって画像信号に変換される。画像信号は、デジタル処理部（不図示）へ入力される。デジタル処理部は、画像信号をデジタルデータへ変換し、デジタルデータに必要なデータ処理を施す。処理されたデジタルデータは、画像データとしてデジタル処理部からビデオ変換部（不図示）へ出力される。ビデオ変換部は、画像データをビデオ信号に変換し、ビデオ信号を光走査装置６へ出力する。
感光体ドラム３１は、図１において時計回り方向に回転する。帯電器３６は、感光体ドラム３１の表面を均一に帯電する。
【００１３】
光走査装置６は、ビデオ変換部からのビデオ信号に従って変調された光ビームを感光体としての感光体ドラム（像担持体）３１の均一に帯電された表面（被走査面）の上に照射し、感光体ドラム３１の上に潜像を形成する。感光体ドラム３１の上の潜像は、現像器３２により現像剤（トナー）でトナー像に現像される。
【００１４】
一方、画像形成装置１の下部に配置された給紙カセット１０ａまたは１０ｂ内のシート（記録媒体）Ｓは、取り込みローラ１２により１枚ずつ給送される。シートＳは、給送ローラ１３および１４により、レジストローラ１５へ給送される。レジストローラ１５は、感光体ドラム３１のトナー像に同期して、感光体ドラム３１と転写帯電器３３との間の転写部へシートＳを搬送する。転写部において、感光体ドラム３１の上のトナー像は、転写帯電器３３によりシートＳの上に転写される。シートＳは、搬送部１６により定着器４へ搬送される。定着器４は、シートＳに熱及び圧力を加えてトナー像をシートＳに定着してシートＳに画像を形成する。画像が形成されたシートＳは、排出ローラ１７および１８により排出トレー１９へ排出される。
感光体ドラム３１の上に残ったトナーは、クリーナ３４によって除去される。感光体ドラム３１は、除電器３５によって除電されて次の画像形成に備えられる。
【００１５】
以上の画像形成プロセスを行う画像形成装置１に用いられる光走査装置６を、以下に説明する。
図２は、第１の実施形態による光走査装置６を示す図である。図２（ａ）は、カバー部材（蓋部材）９１を外した光走査装置６の斜視図である。図２（ｂ）は、図２（ａ）の線IIＢ−IIＢに沿って取った光走査装置６の断面図である。
【００１６】
光走査装置６は、光学ハウジング９０と、光学ハウジング９０の上部開口９４を閉じるカバー部材９１とを有する。光走査装置６は、半導体レーザ（光源）（不図示）と、偏向手段（偏向器）６１と、半導体レーザから偏向手段６１へ光ビームを導く入射光学系４１と、偏向手段６１から感光体ドラム３１の表面（被走査面）へ光ビームを導く射出光学系４３とを有する。
【００１７】
光学ハウジング９０には、光源ユニット６２が設けられている。光源ユニット６２は、半導体レーザ（不図示）と、半導体レーザを駆動するための駆動電気基板６２ａと、コリメータレンズ鏡筒６２ｂと、コリメータレンズ６２ｃと、開口しぼり（不図示）とを有している。光源ユニット６２から射出された光ビームは、シリンダーレンズ６３を介して偏向手段６１へ射出される。
【００１８】
半導体レーザから偏向手段６１へ光ビームを導く入射光学系４１は、コリメータレンズ６２ｃおよびシリンダーレンズ６３を有する。
【００１９】
光学ハウジング９０には、偏向手段６１が設けられている。偏向手段６１は、光源ユニット６２から射出された光ビームを偏向する。偏向された光ビームは、感光体ドラム３１の表面（被走査面）の上を主走査方向に走査して、副走査方向に回転する感光体ドラム３１の上に静電潜像を形成する。
【００２０】
偏向手段６１は、回転多面鏡（偏向部材）６１ａと、回転多面鏡６１ａを回転させるモータ（駆動装置）４５と、駆動基板６１ｂとを有する。モータ４５と、モータ４５を駆動するモータ駆動回路４７は、駆動基板６１ｂの上に実装されている。
偏向手段６１から感光体ドラム３１の表面（被走査面）へ光ビームを導く射出光学系４３は、トーリックレンズ６４、シリンダーレンズ６５、および反射ミラー６６を有する。トーリックレンズ６４、シリンダーレンズ６５、および反射ミラー６６は、光学ハウジング９０に位置決め固定されている。
【００２１】
光学ハウジング９０には、反射ミラー６６により反射された光ビームを通過させる開口部９０ａが形成されている。開口部９０ａは、防塵ガラス７３により閉じられている。防塵ガラス７３は、固定部材７１により固定されている。固定部材７１は、光学ハウジング９０と防塵ガラス７３との間を密封している。
光学ハウジング９０は、光源ユニット６２、入射光学系４１、偏向手段６１、および射出光学系４３を保持している。光学ハウジング９０の上部開口９４は、カバー部材９１によって閉じられている。カバー部材９１と光学ハウジング９０との間にゴムシート（弾性部材）９２を挟み込んで、カバー部材９１を光学ハウジング９０にねじ（不図示）により固定している。
【００２２】
光源ユニット６２の半導体レーザから射出された光ビームは、コリメータレンズ６２ｃにより平行光ビームにされる。コリメータレンズ６２ｃから射出された平行光ビームは、シリンダーレンズ６３に入射する。シリンダーレンズ６３は、副走査方向のみに屈折力を有する。光ビームは、シリンダーレンズ６３により副走査方向の断面内で収束して、回転多面鏡６１ａの偏向面（反射面）の近傍にほぼ線像として結像する。回転する回転多面鏡６１ａの偏向面は、光ビームを反射する。光ビームの偏向は、回転多面鏡６１ａの回転によって行われる。トーリックレンズ６４およびシリンダーレンズ６５は、偏向手段６１により偏向された光ビームを感光体ドラム３１の表面の上に所定のスポット径で結像する。光ビームは、反射ミラー６６により反射され、開口部９０ａを通って感光体ドラム３１の表面の上を走査する。
【００２３】
図３は、第１の実施形態による保持部材６７を介して光学ハウジング９０に装着される偏向手段６１を示す斜視図である。
偏向手段６１は、軸受部６１ｃを有する。軸受部６１ｃは、回転多面鏡６１ａの回転軸６１ｄと同軸に配置されている。軸受部６１ｃは、回転多面鏡６１ａと反対の側で駆動基板６１ｂから突出している。軸受部６１ｃは、回転多面鏡６１ａの回転軸６１ｄを回転可能に保持する。
【００２４】
保持部材６７は、その中央部に孔部６７ａが設けられている。偏向手段６１の軸受部６１ｃは、保持部材６７の孔部６７ａに嵌入する。
保持部材６７は、孔部６７ａと同じ中心軸線を有する円筒部に切欠部６７ｆを形成することによって、外周部６７ｂが設けられている。本実施形態においては、保持部材６７の円筒部に複数（本実施形態において３つ）の切欠部６７ｆを形成することによって、保持部材６７は、複数（本実施形態において３つ）の外周部６７ｂが設けられている。本実施形態において、外周部６７ｂは、円筒部の一部分で形成されている。
保持部材６７は、保持部材６７を光学ハウジング９０の孔部９０ｂに挿入する挿入方向Ｚにおける保持部材６７の上流側端部に、複数（本実施形態において３つ）のフランジ部６７ｅが設けられている。３つのフランジ部６７ｅは、それぞれの外周部６７ｂから半径方向外方へ延在している。
【００２５】
光学ハウジング９０は、孔部９０ｂが設けられている。保持部材６７の外周部６７ｂは、光学ハウジング９０の孔部９０ｂに嵌入する。偏向手段６１の軸受部６１ｃは、保持部材６７の孔部６７ａに嵌入しているので、軸受部６１ｃは、保持部材６７によって、回転軸６１ｄに垂直な方向において、光学ハウジング９０の孔部９０ｂに対して位置決めされる。軸受部６１ｃは、保持部材６７によって孔部９０ｂと同軸に保持される。
【００２６】
偏向手段６１の軸受部６１ｃと光学ハウジング９０の孔部９０ｂとの間に、保持部材６７を介在させているので、発熱源となる軸受部６１ｃと光学ハウジング９０と間の距離が長くなり、両者の間の熱抵抗が大きくなる。
偏向手段６１は、偏向手段６１と光学ハウジング９０との間に保持部材６７を介在させた状態で、ねじ（固定部材）６９により光学ハウジング９０に固定される。ねじ６９は、外周部６７ｂの接触部（第一接触部）が嵌入する光学ハウジング９０の孔部９０ｂの外側で、偏向手段６１を光学ハウジング９０に固定する。
【００２７】
図４は、保持部材６７により光学ハウジング９０に装着された偏向手段６１を示す図である。図４（ａ）は、保持部材６７により偏向手段６１が装着された光学ハウジング９０の部分底面図である。図４（ｂ）は、説明のために光学ハウジング９０を省略して、保持部材６７により保持された偏向手段６１を示す側面図である。
【００２８】
偏向手段６１の軸受部６１ｃは、保持部材６７の孔部６７ａに嵌入され、軸受部６１ｃの外周面６１ｃ−１は、孔部６７ａの内周面６７ａ−１に接触している。内周面６７ａ−１は、円筒形状に形成されている。
【００２９】
保持部材６７の３つの外周部６７ｂ−１、６７ｂ−２、および６７ｂ−３は、光学ハウジング９０の孔部９０ｂに嵌入している。外周部６７ｂ−１、６７ｂ−２、および６７ｂ−３は、孔部９０ｂの内面に接触している。
【００３０】
ここで、保持部材６７の外周部６７ｂ−１から６７ｂ−３の周方向長さＣＬを足し合わせた合計長さが、軸受部６１ｃの外周面６１ｃ−１の周方向長さよりも短くなるように、保持部材６７に複数の切欠部６７ｆが形成されている。ここで、周方向は、挿入方向Ｚに対して垂直である。
【００３１】
本実施例において、外周部６７ｂ−１から６７ｂ−３の周方向長さＣＬは等しい。しかし、外周部６７ｂ−１から６７ｂ−３の周方向長さＣＬは、異なっていてもよい。
【００３２】
光学ハウジング９０の孔部９０ｂと接触する保持部材６７の外周部６７ｂの接触部（第一接触部）の接触面積Ｓ１は、偏向手段６１の軸受部６１ｃと接触する保持部材６７の内周面６７ａ−１の接触部（第二接触部）の接触面積Ｓ２よりも小さい。よって、偏向手段６１から保持部材６７へ移動した熱量に比べて、保持部材６７から光学ハウジング９０へ移動する熱量を低減することができる。なお、円筒部の一部分で形成されている第一接触部は、円筒形状の第二接触部と同心である。
【００３３】
図４（ｂ）に示すように、保持部材６７は、光学ハウジング９０から脱落しないようにフランジ部６７ｅが設けられている。フランジ部６７ｅは、挿入方向Ｚにおける光学ハウジング９０の上流側の面９０ｃに当接する当接部６７ｃが設けられている。図４（ｂ）において、光学ハウジング９０は、説明のために省略されているが、当接部６７ｃは、挿入方向Ｚにおける光学ハウジング９０の上流側の面９０ｃに当接している。
【００３４】
ここで、保持部材６７と光学ハウジング９０との接触面積を小さくするために、当接部６７ｃは、当接部６７ｃの両側に傾斜部６７ｄが設けられている。傾斜部６７ｄを設けることにより、複数の当接部６７ｃと光学ハウジング９０との間の接触面積Ｓ３を小さくすることができる。このようにして、保持部材６７と光学ハウジング９０との間の接触面積（Ｓ１＋Ｓ３）を保持部材６７と偏向手段６１との間の接触面積Ｓ２よりも小さくしてもよい。
【００３５】
軸受部６１ｃに保持部材６７が嵌合していることにより、発熱源としての軸受部６１ｃの熱容量を大きくすることができる。保持部材６７の熱容量によって、軸受部６１ｃの温度の上昇を抑制して、偏向手段６１の性能維持（寿命向上）を図ることができる。
【００３６】
保持部材６７は、軸受部６１ｃの熱伝導率と等しいか又はそれより高い熱伝導率を有する材料からできているとよい。
また、保持部材６７は、軸受部６１ｃからの熱が伝わりやすいように、銅またはアルミニウムの合金で形成されているとよい。保持部材６７に熱伝導率の高い材料を用いることにより、強制的な冷却手段なしに保持部材６７の放熱効果を向上することができる。
また、保持部材６７から光学ハウジング９０へ移動する熱量を低減するために、保持部材６７の熱伝導率よりも低い熱伝導率を有する材料で光学ハウジング９０を形成してもよい。
【００３７】
なお、挿入方向Ｚにおける保持部材６７と光学ハウジング９０との間の接触部の長さを挿入方向Ｚにおける保持部材６７と軸受部６１ｃとの間の接触部の長さよりも小さくしてもよい。これによって、保持部材６７と光学ハウジング９０との間の第一接触部の接触面積Ｓ１を保持部材６７と軸受部６１ｃとの間の第二接触部の接触面積Ｓ２よりも小さくすることができる。よって、保持部材６７から光学ハウジング９０へ移動する熱量を低減することができる。
【００３８】
本実施の形態によれば、軸受部６１ｃと保持部材６７との間の第二接触部の周長を保持部材６７と光学ハウジング９０との間の第一接触部の周長よりも長くすることができる。あるいは、軸受部６１ｃと保持部材６７との間の第二接触部の接触面積を保持部材６７と光学ハウジング９０との間の第一接触部の接触面積よりも大きくすることができる。よって、軸受部６１ｃと光学ハウジング９０との間の熱抵抗を大きくすることができ、軸受部６１ｃで発生した熱が光学ハウジング９０に伝わりにくくなる。
よって、光学ハウジング９０は、温度上昇による熱変形を起こしにくくなり、光学ハウジング９０に固定されている偏向手段６１の姿勢の変化も起こりにくくなる。
【００３９】
（第２の実施形態）
次に、図５を用いて、第２の実施形態を説明する。
図５は、第２の実施形態による保持部材１６７を介して光学ハウジング９０に装着される偏向手段６１を示す斜視図である。第２の実施形態において、第１の実施形態と同様の構造には同様の参照符号を付して説明を省略する。
【００４０】
保持部材１６７は、その中央部に孔部１６７ａが設けられている。偏向手段６１の軸受部６１ｃは、保持部材１６７の孔部１６７ａに嵌入する。
保持部材１６７は、孔部１６７ａと同じ中心軸線を有する円筒部に切欠部１６７ｆを形成することによって、外周部１６７ｂが設けられている。本実施形態においては、保持部材１６７の円筒部に複数（本実施形態において３つ）の切欠部１６７ｆを形成することによって、保持部材１６７は、複数（本実施形態において３つ）の外周部１６７ｂが設けられている。
【００４１】
図５に示すように、保持部材１６７は、光学ハウジング９０から脱落しないように環状のフランジ部１６７ｅが設けられている。フランジ部１６７ｅは、保持部材１６７を光学ハウジング９０の孔部９０ｂに挿入する挿入方向Ｚにおける保持部材１６７の上流側端部から半径方向外方へ延在している。
【００４２】
環状のフランジ部１６７ｅは、挿入方向Ｚにおける光学ハウジング９０の上流側の面９０ｃに当接する複数（本実施形態において３つ）の当接部１６７ｃが設けられている。複数の当接部１６７ｃは、複数の切欠部１６７ｆにそれぞれ対応する環状のフランジ部１６７ｅの部分に設けられている。すなわち、複数の当接部１６７ｃは、保持部材１６７の複数の外周部１６７ｂに対して周方向に位相をずらして配置されている。位相をずらすことにより、複数の当接部１６７ｃを複数の外周部１６７ｂから遠ざけることができるので、複数の当接部１６７ｃから光学ハウジング９０へ移動する熱量を低減することができる。当接部１６７ｃの両側には、傾斜部１６７ｄが設けられている。傾斜部１６７ｄを設けることにより、保持部材１６７と光学ハウジング９０との間の接触面積を小さくしている。
【００４３】
環状のフランジ部１６７ｅは、複数（本実施形態において３つ）の孔部１６７ｈが設けられている。複数の孔部１６７ｈのそれぞれは、当接部１６７ｃと切欠部１６７ｆとの間に形成されている。孔部１６７ｈは、保持部材１６７から光学ハウジング９０へ移動する熱量を低減することができる。
【００４４】
偏向手段６１の軸受部６１ｃは、保持部材１６７の孔部１６７ａに嵌入され、軸受部６１ｃの外周面は、孔部１６７ａの内周面に接触している。
保持部材１６７の３つの外周部１６７ｂは、光学ハウジング９０の孔部９０ｂに嵌入している。３つの外周部１６７ｂは、孔部９０ｂの内面に接触している。
【００４５】
ここで、保持部材１６７と光学ハウジング９０との間の接触面積を保持部材１６７と軸受部６１ｃとの間の接触面積よりも小さくするように、複数の切欠部１６７ｆが保持部材１６７に形成されている。これによって、保持部材１６７から光学ハウジング９０へ移動する熱量を低減することができる。
【００４６】
（第３の実施形態）
次に、図６および図７を用いて、第３の実施形態を説明する。
図６は、第３の実施形態による保持部材２６７を介して光学ハウジング１９０に装着される偏向手段６１を示す斜視図である。図７は、保持部材２６７により偏向手段６１が装着された光学ハウジング１９０の部分底面図である。第３の実施形態において、第１の実施形態と同様の構造には同様の参照符号を付して説明を省略する。
【００４７】
保持部材２６７は、その中央部に孔部２６７ａが設けられている。偏向手段６１の軸受部６１ｃは、保持部材２６７の孔部２６７ａに嵌入する。
保持部材２６７は、孔部２６７ａと同じ中心軸線を有する円筒部に円筒表面を有する外周部２６７ｂが設けられている。
【００４８】
図６に示すように、保持部材２６７は、光学ハウジング１９０から脱落しないように環状のフランジ部２６７ｅが設けられている。フランジ部２６７ｅは、保持部材２６７を光学ハウジング１９０の孔部１９０ｂに挿入する挿入方向Ｚにおける保持部材２６７の上流側端部から半径方向外方へ延在している。
【００４９】
環状のフランジ部２６７ｅは、挿入方向Ｚにおける光学ハウジング１９０の上流側の面１９０ｃに当接する複数（本実施形態において３つ）の当接部２６７ｃが設けられている。当接部２６７ｃの両側には、傾斜部２６７ｄが設けられている。傾斜部２６７ｄを設けることにより、保持部材２６７の当接部２６７ｃと光学ハウジング１９０との間の接触面積Ｓ３を小さくしている。
【００５０】
光学ハウジング１９０は、孔部１９０ｂが設けられている。孔部１９０ｂには、複数（本実施形態において３つ）の切欠部１９０ｆが設けられており、それによって、孔部１９０ｂには、複数（本実施形態において３つ）の内周部１９０ｂ−１、１９０ｂ−２、および１９０ｂ−３が設けられている。
【００５１】
保持部材２６７が光学ハウジング１９０に装着されたときに、保持部材２６７の当接部２６７ｃは、切欠部１９０ｆとずれて配置されることにより、当接部２６７ｃは、光学ハウジング１９０の上流側の面１９０ｃに当接する。
【００５２】
図７に示すように、保持部材２６７の外周部２６７ｂは、光学ハウジング１９０の孔部１９０ｂの複数の内周部１９０ｂ−１、１９０ｂ−２、および１９０ｂ−３に嵌入する。偏向手段６１の軸受部６１ｃは、保持部材２６７の孔部２６７ａに嵌入しているので、軸受部６１ｃは、保持部材２６７によって、回転軸６１ｄに垂直な方向において、光学ハウジング１９０の孔部１９０ｂに対して位置決めされる。複数の内周部１９０ｂ−１、１９０ｂ−２、および１９０ｂ−３は、保持部材２６７が孔部１９０ｂに挿入されたときの軸受部６１ｃの中心軸線と同軸の円の上に形成されている。軸受部６１ｃは、保持部材２６７によって孔部１９０ｂと同軸に保持される。
【００５３】
偏向手段６１は、偏向手段６１と光学ハウジング１９０との間に保持部材２６７を介在させた状態で、ねじ６９により光学ハウジング１９０に固定される。
偏向手段６１の軸受部６１ｃは、保持部材２６７の孔部２６７ａに嵌入され、軸受部６１ｃの外周面６１ｃ−１は、孔部２６７ａの内周面２６７ａ−１に接触している。
【００５４】
保持部材２６７の外周部２６７ｂは、光学ハウジング１９０の孔部１９０ｂの３つの内周部１９０ｂ−１、１９０ｂ−２、および１９０ｂ−３に嵌入している。外周部２６７ｂは、内周部１９０ｂ−１から１９０ｂ−３の内面に接触している。
【００５５】
光学ハウジング１９０の内周部１９０ｂ−１から１９０ｂ−３の周方向長さＣＬ１を足し合わせた合計長さが、軸受部６１ｃの外周面６１ｃ−１の周方向長さよりも短くなるように、光学ハウジング１９０の孔部１９０ｂに複数の切欠部１９０ｆが形成されている。本実施例において、内周部１９０ｂ−１から１９０ｂ−３の周方向長さＣＬ１は等しい。しかし、内周部１９０ｂ−１から１９０ｂ−３の周方向長さＣＬ１は、異なっていてもよい。
【００５６】
保持部材２６７と光学ハウジング１９０との間の接触面積を保持部材２６７と軸受部６１ｃとの間の接触面積よりも小さくすることができるので、保持部材２６７から光学ハウジング１９０へ移動する熱量を低減することができる。
【００５７】
光学ハウジング１９０の孔部１９０ｂと接触する保持部材２６７の外周部２６７ｂの接触部（第一接触部）の接触面積Ｓ１は、偏向手段６１の軸受部６１ｃと接触する保持部材２６７の孔部２６７ａの接触部（第二接触部）の接触面積Ｓ２よりも小さい。よって、偏向手段６１から保持部材２６７へ移動した熱量に比べて、保持部材２６７から光学ハウジング１９０へ移動する熱量を低減することができる。
なお、保持部材２６７と光学ハウジング１９０との間の接触面積（Ｓ１＋Ｓ３）を保持部材２６７と偏向手段６１との間の接触面積Ｓ２よりも小さくしてもよい。
【００５８】
（第４の実施形態）
次に、図８および図９を用いて、第４の実施形態を説明する。
図８は、第４の実施形態による保持部材３６７を介して光学ハウジング９０に装着される偏向手段６１を示す斜視図である。図９は、第４の実施形態による保持部材３６７を介して光学ハウジング９０に装着された偏向手段６１を示す側断面図である。第４の実施形態において、第１の実施形態と同様の構造には同様の参照符号を付して説明を省略する。
【００５９】
保持部材３６７は、その中央部に孔部３６７ａが設けられている。偏向手段６１の軸受部６１ｃは、保持部材３６７の孔部３６７ａに嵌入する。
保持部材３６７は、孔部３６７ａと同じ中心軸線を有する円筒部に円筒表面を有する外周部３６７ｂが設けられている。
【００６０】
図８に示すように、保持部材３６７は、光学ハウジング９０から脱落しないように環状のフランジ部３６７ｅが設けられている。フランジ部３６７ｅは、保持部材３６７を光学ハウジング９０の孔部９０ｂに挿入する挿入方向Ｚにおける保持部材３６７の上流側端部から半径方向外方へ延在している。
【００６１】
環状のフランジ部３６７ｅは、挿入方向Ｚにおける光学ハウジング９０の上流側の面９０ｃに当接する複数（本実施形態において３つ）の当接部３６７ｃが設けられている。当接部３６７ｃの両側には、傾斜部３６７ｄが設けられている。傾斜部３６７ｄを設けることにより、保持部材３６７の当接部３６７ｃと光学ハウジング９０との間の接触面積Ｓ３を小さくしている。
【００６２】
光学ハウジング９０は、孔部９０ｂが設けられている。保持部材３６７の外周部３６７ｂは、光学ハウジング９０の孔部９０ｂに嵌入する。偏向手段６１の軸受部６１ｃは、保持部材３６７の孔部３６７ａに嵌入しているので、軸受部６１ｃは、保持部材３６７によって、回転軸６１ｄに垂直な方向において、光学ハウジング９０の孔部９０ｂに対して位置決めされる。軸受部６１ｃは、保持部材３６７によって孔部９０ｂと同軸に保持される。
【００６３】
図８（ｂ）および図９に示すように、保持部材３６７は、挿入方向Ｚにおける保持部材３６７の下流側端部に環状の傾斜部３６７ｄが設けられている。傾斜部３６７ｄは、挿入方向Ｚにおける外周部３６７ｂの下流側端部に設けられている。外周部３６７ｂに傾斜部３６７ｄを設けることにより、孔部９０ｂと接触する外周部３６７ｂの接触部（第一接触部）の接触面積Ｓ１を低減することができる。
【００６４】
図９に示すように、保持部材３６７と光学ハウジング９０との間の接触部の高さ（挿入方向Ｚにおける長さ）をｔ１で示す。ここで、光学ハウジング９０の孔部９０ｂと接触する保持部材３６７の外周部３６７ｂの接触部（第一接触部）の接触面積Ｓ１は、接触部の周方向長さ（外周部３６７ｂの円周）に高さｔ１をかけたものとなる。
【００６５】
同様に、偏向手段６１の軸受部６１ｃと保持部材３６７との間の接触部の高さ（挿入方向Ｚにおける長さ）をｔ２で示す。ここで、偏向手段６１の軸受部６１ｃと接触する保持部材３６７の孔部３６７ａの接触部（第二接触部）の接触面積Ｓ２は、接触部の周方向長さ（軸受部６１ｃの円周）に高さｔ２をかけたものとなる。
【００６６】
保持部材３６７が光学ハウジング９０の孔部９０ｂへ挿入される挿入方向Ｚにおいて、第一接触部の高さ（長さ）ｔ１は、第二接触部の高さ（長さ）ｔ２よりも低い（短い）。
傾斜部３６７ｄは、第一接触部の接触面積Ｓ１が第二接触部の接触面積Ｓ２よりも小さくなるように、外周部３６７ｂに形成されている。
保持部材３６７の第一接触部の接触面積Ｓ１は、保持部材３６７の第二接触部の接触面積Ｓ２よりも小さいので、偏向手段６１から保持部材３６７へ移動した熱量に比べて、保持部材３６７から光学ハウジング９０へ移動する熱量を低減することができる。
【００６７】
なお、本実施形態において、外周部３６７ｂに傾斜部３６７ｄを設けたが、本発明はこれに限定されるものではない。光学ハウジング９０の孔部９０ｂの直径よりも小さい直径を有する円筒状小径部を外周部３６７ｂに形成してもよい。小径部は、外周部３６７ｂの下流側端部に設けることができるが、必ずしも下流側端部である必要はない。小径部は、外周部３６７ｂの上流側端部または中間部に設けてもよい。すなわち、外周部３６７ｂに孔部９０ｂと接触しない領域を確保できればよい。
また、保持部材３６７と光学ハウジング９０との間の接触面積（Ｓ１＋Ｓ３）を保持部材３６７と偏向手段６１との間の接触面積Ｓ２よりも小さくしてもよい。
【００６８】
第１の実施形態と同様に、第２から第４の実施例による保持部材は、軸受部の熱伝導率と等しいか又はそれよりも高い熱伝導率を有する材料で形成してもよい。保持部材は、銅またはアルミニウムの合金で形成されていてもよい。光学ハウジング９０は、保持部材の熱伝導率よりも低い熱伝導率を有する材料で形成されていてもよい。
上記実施形態において、保持部材の孔部は、円筒形状であるが、保持部材の孔部は、円筒部の一部分または複数部分で形成されていてもよい。
【符号の説明】
【００６９】
６  光走査装置
６１  偏向手段
６２  光源ユニット（光源）
６７、１６７、２６７、３６７  保持部材
６７ａ、１６７ａ、２６７ａ、３６７ａ  孔部
６７ｂ、１６７ｂ、２６７ｂ、３６７ｂ  外周部
９０、１９０  光学ハウジング
６７、１６７、２６７、３６７  保持部材
【図１】
2013218064.tif 000003
【図２】
2013218064.tif 000004
【図３】
2013218064.tif 000005
【図４】
2013218064.tif 000006
【図５】
2013218064.tif 000007
【図６】
2013218064.tif 000008
【図７】
2013218064.tif 000009
【図８】
2013218064.tif 000010
【図９】
2013218064.tif 000011